(57)【要約】  【課題】  壁に開口されて所定の指向方向でマイクロ波を導入するマイクロ波導入口を備えるオーブンを有するマイクロ波加熱装置において、加熱対象の負荷が小さく、マイクロ波導入口から導入されたマイクロ波の多くが反射されるような場合でも、それがマイクロ波導入口に直接戻るのを防止するようにする。  【解決手段】  オーブンにおけるマイクロ波導入口が設けられた壁に対向する対向壁においてマイクロ波の照射を受ける部分を、マイクロ波の指向方向と直角な方向に対して５°〜４０°の角度だけ傾斜をつける。【選択図】  図１
2006210132.tif 000002
【特許請求の範囲】
【請求項１】
壁に開口されて所定の指向方向でマイクロ波を導入するマイクロ波導入口を備えるオーブンを有するマイクロ波加熱装置であって、
前記オーブンにおける前記壁に対向する対向壁における前記マイクロ波の照射を受ける部分が、前記指向方向と直角な方向に対して５°〜４０°の角度だけ傾斜していることを特徴とするマイクロ波加熱装置。
【請求項２】
前記対向壁が全体として前記のように傾斜していることを特徴とする請求項１に記載のマイクロ波加熱装置。
【請求項３】
前記対向壁の前記マイクロ波の照射を受ける部分を含む当該対向壁の一部が前記のように傾斜していることを特徴とするマイクロ波加熱装置。
【請求項４】
壁に開口されて所定の指向方向でマイクロ波を導入するマイクロ波導入口を備えるオーブンを有するマイクロ波加熱装置であって、
前記オーブンにおける前記壁に対向する対向壁における前記マイクロ波の照射を受ける部分が、凸面状に湾曲していることを特徴とするマイクロ波加熱装置。
【請求項５】
前記マイクロ波導入口から前記指向方向に延びる直線が交わる前記対向壁での該対向壁に対する接線が、前記直線に対する直角方向から所定角度で傾斜していることを特徴とする請求項４に記載のマイクロ波加熱装置。
【発明の詳細な説明】
【技術分野】
【０００１】
本発明はマイクロ波加熱装置において、マイクロ波オーブンの電圧定在波比（ＶＳＷＲ）が小さく（反射電力が少ない）マイクロ波吸収効率を向上させたマイクロ波加熱装置に関する。
【０００２】
電圧定在波比（ＶＳＷＲ）とは、マイクロ波加熱装置やマイクロ波応用機器などの電波の反射特性を表わすもので、ＶＳＷＲが分かると前記装置や応用機器などからの入射電力に対する反射電力の割合が算出可能である。すなわち、ＶＳＷＲ（＝ρ）と反射電力の割合（＝α）の関係は、
α＝[（ρ−１）／（ρ＋１）]２＊１００    （％）
と表され、例えば、ＶＳＷＲ＝３の場合、入射電力に対する反射電力の割合は２５％であることが分かる。
【背景技術】
【０００３】
従来のマイクロ波加熱装置を図１１により説明する。図示のマイクロ波加熱装置は、マイクロ波エネルギーの発生源であるマイクロ波発振機１０１、導波管１０２、及び、マイクロ波オーブン１０３を有している。
【０００４】
導波管１０２とマイクロ波発振機１０１の間にはアイソレータ１０８が挿入されている。マイクロ波オーブン１０３には被加熱物１０５を出し入れするための扉１０４が設けられている。また、導波管１０２は、マイクロ波オーブン１０３の天井壁に開口してマイクロ波導入口を形成しており、マイクロ波オーブン１０３内には、マイクロ波導入口に隣接してスタラファン１０７が設けられており、マイクロ波を攪拌して加熱物１０５の均一加熱を図っている。被加熱物１０５は、回転式若しくは非回転式のトレイ１０６に載せて加熱処理を行う。マイクロ波オーブン１０３の底部１０３-２は導波管１０２開口している天井壁３-１とは通常は平行とされる場合が多い。
【０００５】
このような従来の装置で被加熱物１０５の加熱処理を行う場合は、被加熱物１０５をトレイ１０６上に載せ、扉１０４を閉めてマイクロ波発振機１０１を動作させマイクロ波を発生させる。マイクロ波は導波管１０２を介してマイクロ波オーブン１０３に送り込まれ、被加熱物を照射する。この状態で所定時間加熱し、その後マイクロ波発振機１０１を停止し、マイクロ波オーブン１０３の扉１０４を開けて被加熱物１０５を取り出す。
【発明の開示】
【発明が解決しようとする課題】
【０００６】
このような従来のマイクロ波加熱装置を利用するに当たって、被加熱物１０５が大形で水分の多いものでは特に問題は発生しないが、水分が少ないもの或いは水分が多くても小形・軽量の被加熱物を加熱処理する所謂軽負荷運転の場合には、大きな反射電力が発生する。すなわち、マイクロ波オーブン１０３に投入されたマイクロ波エネルギーは、負荷が無い或いは少ない場合、多くのマイクロ波エネルギーが吸収されずにマイクロ波オーブン底部１０３-２に達し、そこで反射されて導波管１０２を介してマイクロ波発振機１０１に戻ってしまうのである。マイクロ波発振機１０１に大きなマイクロ波エネルギーが戻るとマイクロ波発振機１０１が不安定に動作したり、マイクロ波エネルギーの発生源である発振管即ちマグネトロンを破損させたりすることがある。アイソレータ１０８は、このようなマイクロ発信機の破損等を防止するためのものであるが高価であり、また、組立作業に時間がかかるため、その製造コストを押し上げる要因となっている。
【０００７】
本発明は、このような点を考慮してなされたものであり、マイクロ波オーブンの形状を工夫して、簡単な構造で軽い負荷でも反射電力の発生が少なく、従って高価なアイソレータを設ける必要がなく、更にはマイクロ波電界攪拌用スタラファンの必要もなくしたマイクロ波加熱装置を提供することを目的とするものである。
【課題を解決するための手段】
【０００８】
すなわち、本発明は、
壁に開口されて所定の指向方向でマイクロ波を導入するマイクロ波導入口を備えるオーブンを有するマイクロ波加熱装置であって、
前記オーブンにおける前記壁に対向する対向壁における前記マイクロ波の照射を受ける部分が、前記指向方向と直角な方向に対して５°〜４０°の角度だけ傾斜していることを特徴とするマイクロ波加熱装置を提供する。
【０００９】
具体的には、前記対向壁が全体として前記のように傾斜するようにすることも、また、前記対向壁の前記マイクロ波の照射を受ける部分を含む当該対向壁の一部が前記のように傾斜するようにすることもできる。
【００１０】
また、本発明は、
壁に開口されて所定の指向方向でマイクロ波を導入するマイクロ波導入口を備えるオーブンを有するマイクロ波加熱装置であって、
前記オーブンにおける前記壁に対向する対向壁における前記マイクロ波の照射を受ける部分が、凸面状に湾曲していることを特徴とするマイクロ波加熱装置を提供する。
具体的には、前記マイクロ波導入口から前記指向方向に延び直線が交わる前記対向壁における該対向壁に対する接線が前記直線に直角方向から所定角度で傾斜するようにすることが好ましい。
【発明の効果】
【００１１】
以上説明したように本発明に係るマイクロ波加熱装置は、被加熱物が軽い負荷の場合でも、反射電力の発生が少なく、更に均一加熱のためのマイクロ波電界攪拌用スタラファンも不要となり、低コストでのマイクロ波加熱装置の製造が可能となる。
【発明を実施するための最良の形態】
【００１２】
以下、本発明に係るマイクロ波加熱装置の実施形態を添付図面図１〜図１０に基づき説明する。尚、以下に説明する幾つかの実施形態において、共通する構成エレメントには同じ番号を付して説明する。
【００１３】
図１は、本発明に係るマイクロ波加熱装置の基本的構成を示している。すなわち、該マイクロ波加熱装置は、前述の従来装置と同様、マイクロ波発振機１、導波管２、及び、マイクロ波オーブン３を備え、導波管２は、オーブン３の天井壁に開口してマイクロ波導入口２−１を形成している。該マイクロ波導入口２-１は、マイクロ波発信機１で発生され導波管２を通して導かれたマイクロ波を、垂直下方に向けて指向させ、トレイ６上に載せられた被加熱物５を照射し加熱するようにしている。
【００１４】
このマイクロ波加熱装置の特徴とするところは、マイクロ波オーブン３の底部壁３-２を、水平位置ではなく傾斜させていることである。より詳細には、マイクロ波導入口２−１がマイクロ波を指向させる方向（図示の例では垂直方向）と直角な方向（水平方向）に対して５°〜４０°（図示の例では約２０度）の角度だけ傾斜していることである。
【００１５】
このような構成からなる本発明マイクロ波加熱装置において被加熱物の加熱処理を行う場合、マイクロ波導入口２−１から垂直下方に指向されたマイクロ波エネルギーは広がりながら進んで被加熱物５に照射されるが、前述のように、該被加熱物が小型であったり軽量であったり、含有水分が少量であったりすると、マイクロ波エネルギーの多くが被加熱物５によって吸収されず、オーブン３の底部壁３-２に達して反射される。図１の実施形態においては、オーブン底部壁３-２が前述の通り傾斜しており、このため、反射したマイクロ波エネルギーはマイクロ波導入口２−１には直接戻らず、従って、導波管２を通してマイクロ波発信機１に戻る量が大幅に減少する（すなわち、大きな反射電力が生じない）。
【００１６】
オーブン底部３-２で反射したマイクロ波エネルギーはマイクロ波オーブン３の側壁等で反射されながら進行するが、乱反射に近い状態で入り乱れる。このため、図１１で示したような従来のマイクロ波加熱装置においてはマイクロ波攪拌のために必要とされていたスタラファンを設けなくとも被加熱物の均一な加熱を可能とする。
【００１７】
マイクロ波オーブン３の底部壁３-２は、図１に示すように、その全体を傾斜させることは必ずしも必要ではなく、例えば、図２、図３に示すように、マイクロ波が特に照射される部分のみに傾斜した反射板７を設けるようにすることができ、また、この反射板７を図４に示すように回転軸８を中心に回動可能として、所要の角度に調節できるようにすることもできる。
【００１８】
また、図５と図６に示すようにマイクロ波発振機を複数（図示の例では２台１，１ａ）使用した装置では、傾斜付き反射板も２枚７，７ａ取り付け、それぞれの傾斜の向きを図示のように互い違いになるよう設けることもできる。反射板の傾斜方向を同一にした場合、マイクロ波エネルギーの偏りが発生し被加熱物が不均一されることになり好ましくない。
【００１９】
尚、傾斜付き反射板７は、該傾斜付き反射板７上にマイクロ波の指向方向で投影したマイクロ波導入口２−１の面積以上の面積を有するようにすることが好ましいが、同マイクロ波導入口の投影面積よりも小さいものでも、該傾斜付き反射板７が設けられている底部壁３−２から反射されてマイクロ波導入口２−１に入るマイクロ波の総量を一定以下にするようなものであれば良い。
【００２０】
傾斜角度θを４５°以上にすることも考えられるが、マイクロ波エネルギーの入射角と反射角の関係から、４５°では図７（ａ）のようにまともに導波管２にマイクロ波エネルギーは戻ってしまい、それ以上の角度では反射波が図７（ｂ）のように被加熱物側に有効の照射されないため好ましくない。更に、５°以下ではマイクロ波エネルギーの反射方向の変化が少なく反射電力抑制の効果は小さい。
【００２１】
本発明の実施形態では、マイクロ波オーブン３の底部３-２や反射板７が平面的なものとされているが、図８に示すようにマイクロ波オーブン３の底部壁３-２ａ或いは図９の反射板７ｂのように湾曲させても同様の効果を得ることが分かった。湾曲は、凸面とすることが好ましいが、凹面とすることも可能であり、いずれの場合も、マイクロ波導入口からのマイクロ波指向方向に延びる直線が交わる凸面若しくは凹面での該凹面若しくは凸面に対する接線が、該直線に対する直角方向から一定角度で傾斜するようにすることが好ましい。
【００２２】
また、以上の実施形態においては、導波管を天井壁に取り付けた場合を説明したが、側壁に取り付けた場合でも、対向壁を前述の底部壁と同様に傾斜させたり湾曲させたりすることにより同様の効果を得られることは言うまでも無い。
【００２３】
更に、以上の説明ではバッチ式マイクロ波加熱装置につき述べたが、コンベヤ形加熱装置でも同様な構成とし、同様な効果が得られることも当然である。
【００２４】
次に、従来マイクロ波加熱装置と本発明に係るマイクロ波加熱装置とのＶＳＷＲ特性を、図１０により説明する。ＶＳＷＲ特性は、マイクロ波オーブンへの負荷として、水を０．０５リットル〜０．５リットルの範囲で変え、その場合のＶＳＷＲを測定したものである。図１０で菱形ドットを結んでいる折れ線が従来のマイクロ波加熱装置のＶＳＷＲ特性を、四角ドットを結んでいる折れ線が本発明に係る装置のＶＳＷＲ特性を示している。
【００２５】
図１０によれば、従来のマイクロ波加熱装置の場合には、ＶＳＷＲ＝３．６〜９、即ち入射電力に対する反射電力が３２〜６４％程度のマイクロ波エネルギーが戻る結果となっている。このような大きな反射が発生する場合は、必ずアイソレータを使用しないとマイクロ波発振機は安定に動作しないとともに、マイクロ波エネルギーの発生源であるマイクロ波発振管であるマグネトロンは急速に劣化或いは破損してしまうことになる。
【００２６】
これに対し、本発明に係るマイクロ波加熱装置におけるＶＳＷＲ特性は、負荷が５０ｃｃの水の場合ではＶＳＷＲ＝3．6（３２％反射）となっているが、１００ｃｃ以上ではＶＳＷＲは「２以下」（入射電力に対する反射電力が約１１％以下）であり、この程度の値であればアイソレータを使用しなくても、マイクロ波発振機は安定に動作し、マイクロ波エネルギーの発生源であるマグネトロンを傷めることも無い。
【図面の簡単な説明】
【００２７】
【図１】本発明のマイクロ波加熱装置の第１の実施形態を示す模式的断面図である。
【図２】本発明のマイクロ波加熱装置の第２の実施形態を示す模式的断面図である。
【図３】本発明の図２のＡ矢より見た断面図である。
【図４】本発明のマイクロ波加熱装置の第３の実施形態を示す模式的断面図である。
【図５】本発明のマイクロ波加熱装置の第４の実施形態を示す模式的断面図である。
【図６】図５のＡ矢視断面図である。
【図７ａ】マイクロ波の反射傾向を説明するための図である。
【図７ｂ】マイクロ波の反射傾向を説明するための図である。
【図８】本発明のマイクロ波加熱装置の第５の実施形態を示す模式的断面図である。
【図９】本発明のマイクロ波加熱装置の第６の実施形態を示す模式的断面図である。
【図１０】本発明の効果を示すＶＳＷＲ特性のグラフである。
【図１１】従来のマイクロ波加熱装置を示す模式的断面図である。
【符号の説明】
【００２８】
１，１ａ  マイクロ波発振機
２，２ａ  導波管
２−１    マイクロ波導入口
３        マイクロ波オーブン
３-１     マイクロ波オーブン天井
３-２     マイクロ波オーブン底部
４        扉
５        被加熱物
６        トレイ
７，７ａ  反射板
８．      回転軸
【図１】
2006210132.tif 000003
【図２】
2006210132.tif 000004
【図３】
2006210132.tif 000005
【図４】
2006210132.tif 000006
【図５】
2006210132.tif 000007
【図６】
2006210132.tif 000008
【図７ａ】
2006210132.tif 000009
【図７ｂ】
2006210132.tif 000010
【図８】
2006210132.tif 000011
【図９】
2006210132.tif 000012
【図１０】
2006210132.tif 000013
【図１１】
2006210132.tif 000014